(57)【要約】【課題】適切なインセンティブの付与によって、広告表示媒体の発行及び回収を促進する広告提供システムを提供する。【解決手段】広告提供システム１は、スポンサー（第１の広告主）の端末４０Ａにより登録された広告情報及び設定情報と、加盟店（第２の広告主）の端末４０Ｂにより登録された広告情報及び設定情報とに基づいて、これらの広告情報を組み合わせたクーポン（相乗り広告）をユーザに提供する。また、広告提供システム１は、発行されたクーポン９００がいずれかの加盟店で利用され、利用されたクーポン９００が加盟店により回収されると、このユーザ（クーポン９００の利用者）と、このクーポン９００を回収した加盟店とにポイントを付与する。【選択図】図１
2011008364.tif 000002
【特許請求の範囲】
【請求項１】
複数の広告表示を含む広告表示媒体が回収されたことを条件としてポイントを付与するポイント付与装置であって、
広告表示媒体の第１の広告主による設定情報と、この広告表示媒体の第２の広告主による設定情報とに基づいて、この広告表示媒体を利用した利用者に付与すべきポイントを決定する利用者ポイント決定部と、
前記広告表示媒体の第１の広告主による設定情報に基づいて、この広告表示媒体を回収した回収者に付与すべきポイントを決定する回収者ポイント決定部と
を有するポイント付与装置。
【請求項２】
広告表示媒体が回収された場合に、この広告表示媒体の回収者と、この広告表示媒体の第２の広告主とが一致するか否かを判定する一致判定部と、
前記一致判定部により一致していると判定された場合にのみ、前記回収者ポイント決定部により決定されたポイントを回収者に付与するポイント付与部と
をさらに有する請求項１に記載のポイント付与装置。
【請求項３】
第１の広告主の設定情報として、利用者及び回収者それぞれに付与すべきポイント数を受け付け、第２の広告主の設定情報として、回収者に付与すべきポイント数を受け付ける設定情報受付部
をさらに有し、
前記利用者ポイント決定部は、前記設定情報受付部により受け付けられた設定情報に基づいて、回収された広告表示媒体について設定された利用者のポイント数を合算する
請求項１に記載のポイント付与装置。
【請求項４】
利用者の記録媒体から、この記録媒体の識別情報が取得されたことを条件として、広告表示媒体を提供する広告提供部と、
前記広告提供部により提供された広告表示媒体が回収者により回収された場合に、この広告表示媒体について前記利用者ポイント決定部により決定されたポイントを、この広告表示媒体の提供時に取得された識別情報に対応付けて付与するポイント付与部と
をさらに有する請求項１に記載のポイント付与装置。
【請求項５】
第１の広告主の広告及び第２の広告主の広告が表示された広告表示媒体を、利用者の指示に応じて提供する広告提供装置と、
前記広告提供装置により提供された広告表示媒体のうち、前記第２の広告主により回収された広告表示媒体について、回収された旨を示す情報の入力を受け付ける回収情報入力装置と、
前記回収情報入力情報により受け付けた情報に基づいて、少なくとも、利用者に対してポイントを付与するポイント付与装置と
を含み、
前記ポイント付与装置は、
回収された広告表示媒体の第１の広告主による設定情報と、この広告表示媒体の第２の広告主による設定情報とに基づいて、この広告表示媒体を利用した利用者に付与すべきポイントを決定する利用者ポイント決定部と、
回収された前記広告表示媒体の第１の広告主による設定情報に基づいて、この広告表示媒体を回収した回収者に付与すべきポイントを決定する回収者ポイント決定部と
を有する
広告提供システム。
【請求項６】
広告提供装置が、第１の広告主の広告及び第２の広告主の広告が表示された広告表示媒体を、利用者の指示に応じて提供し、
コンピュータが、前記広告提供装置により提供された広告表示媒体のいずれかが第２の広告主により回収された場合に、回収された旨を示す情報の入力を受け付け、
コンピュータが、広告表示媒体が回収された旨を示す情報が入力されたことを条件して、回収された広告表示媒体の第１の広告主による設定情報と、この広告表示媒体の第２の広告主による設定情報とに基づいて決定されたポイントを、この広告表示媒体の利用者に付与し、
コンピュータが、広告表示媒体が回収された旨を示す情報が入力されたことを条件として、回収された広告表示媒体の第１の広告主による設定情報に基づいて決定されたポイントを、この広告表示媒体を回収した回収者に付与する
ポイント付与方法。
【請求項７】
複数の広告表示を含む広告表示媒体が回収されたことを条件としてポイントを付与するコンピュータにおいて、
広告表示媒体の第１の広告主による設定情報と、この広告表示媒体の第２の広告主による設定情報とに基づいて、この広告表示媒体を利用した利用者に付与すべきポイントを決定する利用者ポイント決定機能と、
前記広告表示媒体の第１の広告主による設定情報に基づいて、この広告表示媒体を回収した回収者に付与すべきポイントを決定する回収者ポイント決定機能と
を前記コンピュータに実現させるプログラム。
【発明の詳細な説明】
【技術分野】
【０００１】
本発明は、ポイント付与方法に関するものである。
【背景技術】
【０００２】
例えば、特許文献１には、表示モニタに周辺地図・店舗への経路・電子クーポンなどを表示する案内装置１が開示されている。
また、特許文献２には、目的地周辺にあるサービス店を検索でき、それぞれのサービス店に持参することにより特定のサービスを享受できるサービスチケットを利用者に提供するサービス情報提供システムが開示されている。
【先行技術文献】
【特許文献】
【０００３】
【特許文献１】特開２００５−３０９７０８号公報
【特許文献２】特開２００２−３２３８２号公報
【発明の概要】
【発明が解決しようとする課題】
【０００４】
本発明は、上述した背景からなされたものであり、適切なインセンティブの付与によって、広告表示媒体の発行及び回収を促進する広告提供システムを提供することを目的とする。
【課題を解決するための手段】
【０００５】
上記目的を達成するために、本発明に係るポイント付与装置は、複数の広告表示を含む広告表示媒体が回収されたことを条件としてポイントを付与するポイント付与装置であって、広告表示媒体の第１の広告主による設定情報と、この広告表示媒体の第２の広告主による設定情報とに基づいて、この広告表示媒体を利用した利用者に付与すべきポイントを決定する利用者ポイント決定部と、前記広告表示媒体の第１の広告主による設定情報に基づいて、この広告表示媒体を回収した回収者に付与すべきポイントを決定する回収者ポイント決定部とを有する。
【０００６】
好適には、広告表示媒体が回収された場合に、この広告表示媒体の回収者と、この広告表示媒体の第２の広告主とが一致するか否かを判定する一致判定部と、前記一致判定部により一致していると判定された場合にのみ、前記回収者ポイント決定部により決定されたポイントを回収者に付与するポイント付与部とをさらに有する。
【０００７】
好適には、第１の広告主の設定情報として、利用者及び回収者それぞれに付与すべきポイント数を受け付け、第２の広告主の設定情報として、回収者に付与すべきポイント数を受け付ける設定情報受付部をさらに有し、前記利用者ポイント決定部は、前記設定情報受付部により受け付けられた設定情報に基づいて、回収された広告表示媒体について設定された利用者のポイント数を合算する。
【０００８】
好適には、利用者の記録媒体から、この記録媒体の識別情報が取得されたことを条件として、広告表示媒体を提供する広告提供部と、前記広告提供部により提供された広告表示媒体が回収者により回収された場合に、この広告表示媒体について前記利用者ポイント決定部により決定されたポイントを、この広告表示媒体の提供時に取得された識別情報に対応付けて付与するポイント付与部とをさらに有する。
【０００９】
また、本発明に係る広告提供システムは、第１の広告主の広告及び第２の広告主の広告が表示された広告表示媒体を、利用者の指示に応じて提供する広告提供装置と、前記広告提供装置により提供された広告表示媒体のうち、前記第２の広告主により回収された広告表示媒体について、回収された旨を示す情報の入力を受け付ける回収情報入力装置と、前記回収情報入力情報により受け付けた情報に基づいて、少なくとも、利用者に対してポイントを付与するポイント付与装置とを含み、前記ポイント付与装置は、回収された広告表示媒体の第１の広告主による設定情報と、この広告表示媒体の第２の広告主による設定情報とに基づいて、この広告表示媒体を利用した利用者に付与すべきポイントを決定する利用者ポイント決定部と、回収された前記広告表示媒体の第１の広告主による設定情報に基づいて、この広告表示媒体を回収した回収者に付与すべきポイントを決定する回収者ポイント決定部とを有する。
【００１０】
また、本発明に係るポイント付与方法は、広告提供装置が、第１の広告主の広告及び第２の広告主の広告が表示された広告表示媒体を、利用者の指示に応じて提供し、コンピュータが、前記広告提供装置により提供された広告表示媒体のいずれかが第２の広告主により回収された場合に、回収された旨を示す情報の入力を受け付け、コンピュータが、広告表示媒体が回収された旨を示す情報が入力されたことを条件して、回収された広告表示媒体の第１の広告主による設定情報と、この広告表示媒体の第２の広告主による設定情報とに基づいて決定されたポイントを、この広告表示媒体の利用者に付与し、コンピュータが、広告表示媒体が回収された旨を示す情報が入力されたことを条件として、回収された広告表示媒体の第１の広告主による設定情報に基づいて決定されたポイントを、この広告表示媒体を回収した回収者に付与する。
【００１１】
また、本発明に係るプログラムは、複数の広告表示を含む広告表示媒体が回収されたことを条件としてポイントを付与するコンピュータにおいて、広告表示媒体の第１の広告主による設定情報と、この広告表示媒体の第２の広告主による設定情報とに基づいて、この広告表示媒体を利用した利用者に付与すべきポイントを決定する利用者ポイント決定機能と、前記広告表示媒体の第１の広告主による設定情報に基づいて、この広告表示媒体を回収した回収者に付与すべきポイントを決定する回収者ポイント決定機能とを前記コンピュータに実現させる。
【発明の効果】
【００１２】
本発明によれば、広告表示媒体の発行及び回収を促進することができる。
【図面の簡単な説明】
【００１３】
【図１】広告提供システム１のシステム構成を例示する図である。
【図２】広告提供装置１０の機能構成と、管理サーバ３０の機能構成とを例示する図である。
【図３】広告データベースに格納される情報を例示する図である。
【図４】広告提供装置１０により提供されるクーポン９００を例示する図である。
【図５】バーコード９０６（図４）にエンコードされる情報を例示する図である。
【図６】（Ａ）は、広告実績データベース３１６に格納される情報を例示し、（Ｂ）〜（Ｄ）は、ポイントデータベース３１８に格納される情報を例示する図である。
【図７】クーポンデータ配信処理の動作（Ｓ１０）を説明するフローチャートである。
【図８】クーポン発行処理（Ｓ２０）の動作を説明するフローチャートである。
【図９】ポイント付与処理の動作（Ｓ３０）を説明するフローチャートである。
【発明を実施するための形態】
【００１４】
［システム構成］
まず、広告提供システム１の全体構成を説明する。
図１は、広告提供システム１のシステム構成を例示する図である。
図１に例示するように、広告提供システム１は、広告提供装置１０と、管理サーバ３０とを含む。
広告提供装置１０は、ポイント付与装置の一例であり、ユーザ（利用者）に対して広告情報を提供する。ここで、広告情報とは、商品又は役務に関する情報であり、本例では、タッチパネル１００に表示される広告画像と、広告情報が印刷されたクーポン９００とを含む。
本例の広告提供装置１０は、ユーザの操作を受け付けるタッチパネル１００と、ＩＣカードリーダ１０２と、クーポン９００を排出するクーポン排出口とを有する。
【００１５】
管理サーバ３０は、サーバ装置であり、広告情報及びこれに関する設定情報の登録を受け付け、受け付けた広告情報及び設定情報に基づいて、広告表示媒体に表示させる広告表示データを生成し、生成された広告表示データを広告提供装置１０に配信する。
本例の管理サーバ３０は、インターネットを介してスポンサー（第１の広告主）の端末４０Ａ及び加盟店（第２の広告主）の端末４０Ｂに接続しており、端末４０Ａにより登録された広告情報と、端末４０Ｂにより登録された広告情報とを組み合わせて、クーポン９００を印刷するためのクーポンデータを生成し、生成されたクーポンデータを広告提供装置１０に配信する。以下、第１の広告主（スポンサー）の広告と、第２の広告主（加盟店）の広告とを組み合わせて１つのクーポン９００に印刷した広告を、相乗り広告とよぶ。
【００１６】
端末４０Ａ及び端末４０Ｂは、いずれもコンピュータ端末であり、説明の便宜上区別されている。本例では、スポンサー（第１の広告主）の端末を端末４０Ａとし、クーポン９００の利用を受け付ける加盟店（第２の広告主）の端末を端末４０Ｂとする。また、本例の端末４０Ｂには、ＵＳＢケーブルなどを介して、バーコードリーダ４２が接続されている。なお、スポンサーは、クーポン９００の利用を直接受け付ける者ではなく、例えば、商品のメーカや卸業者であることが多く、加盟店は、クーポン９００の利用を直接受け付けるものであり、商店街の各店舗などのように、小売業者や役務提供者であることが多い。
【００１７】
本例の広告提供システム１は、上記システム構成により、端末４０Ａ及び端末４０Ｂにより登録された広告情報及び設定情報に従って、広告情報をユーザに提供する。特に、ユーザから要求があった場合には、広告提供装置１０は、クーポン９００をユーザに発行する。
また、本例の広告提供システム１は、発行されたクーポン９００がいずれかの加盟店で利用され、利用されたクーポン９００が加盟店により回収されると、このユーザ（クーポン９００の利用者）と、このクーポン９００を回収した加盟店とにポイントを付与する。このポイントは、経済的な価値を有し、例えば、商品券などと交換可能である。
【００１８】
図２は、広告提供装置１０の機能構成と、管理サーバ３０の機能構成とを例示する図である。
図２に例示するように、管理サーバ３０には、設定情報受付部５００、クーポン生成部５０５、広告回数管理部５１０、回収判定部５１５、ポイント付与部５２０、及び管理データベース（管理ＤＢ）３１０が設けられている。例えば、設定情報受付部５００、クーポン生成部５０５、広告回数管理部５１０、回収判定部５１５、及び、ポイント付与部５２０は、コンピュータソフトウェアで実現され、管理サーバ３０にインストールされている。また、管理ＤＢ３１０は、管理サーバ３０の記録領域に構築されたデータベースである。
【００１９】
広告提供装置１０には、クーポン抽出部６００、クーポン発行部６０５、及び、クーポンデータベース（クーポンＤＢ）１１０が設けられている。例えば、クーポン抽出部６００及びクーポン発行部６０５は、コンピュータソフトウェアで実現され、広告提供装置１０にインストールされている。また、クーポンＤＢ１１０は、広告提供装置１０の記録領域に構築されたデータベースである。
【００２０】
なお、上記広告提供装置１０又は管理サーバ３０にインストールされるコンピュータソフトウェアは、例えば、ＣＤ−ＲＯＭ等の記録媒体に記録されており、この記録媒体を介して広告提供装置１０又は管理サーバ３０にインストールされる。また、これらのコンピュータソフトウェアの一部又は全部は、ネットワークを介して、広告提供装置１０又は管理サーバ３０にインストールされてもよい。また、これらのコンピュータソフトウェアの全部又は一部が、広告提供装置１０又は管理サーバ３０の中に設けられたＡＳＩＣ等のハードウェアによって実現されてもよい。
【００２１】
管理サーバ３０において、設定情報受付部５００は、広告情報の提示又はポイントの付与に関する設定情報を、端末４０Ａ又は端末４０Ｂから受け付ける。
本例の設定情報受付部５００は、図３（Ａ）で後述する、広告内容、上限回数、利用者ポイント、回収者ポイント、及び業種コードを、スポンサーの端末４０Ａから受信し、図３（Ｂ）で後述する、サービスカテゴリ、サービス内容、サービス提供時間帯、特典内容、利用者ポイント、及び、相乗り広告の指示情報を、加盟店の端末４０Ｂから受信し、受信した情報を管理ＤＢ３１０に登録する。
【００２２】
クーポン生成部５０５は、管理ＤＢ３１０に登録されている広告情報及びその設定情報に基づいて、スポンサー（第１の広告主）の広告情報と、加盟店（第２の広告主）の広告情報とが含まれたクーポンデータを生成する。
本例のクーポン生成部５０５は、スポンサーの設定情報に合致する加盟店の広告情報と、加盟店の設定情報に合致するスポンサーの広告情報とを組み合わせて、各時間帯毎にクーポンデータを生成する。
【００２３】
広告回数管理部５１０は、スポンサーにより登録された広告情報、又は、加盟店により登録された広告情報の広告回数を監視し、広告回数がこの広告に対して設定された上限回数に達した場合には、この広告の提示を禁止する。
本例の広告回数管理部５１０は、クーポン上に印刷される広告情報の印刷回数を広告情報毎にカウントし、各広告情報の印刷回数が、設定された上限回数に達した場合に、この広告情報をクーポン上に印刷することを禁止する。
【００２４】
回収判定部５１５は、クーポン９００（広告表示媒体）の回収者と、このクーポン９００の第２の広告主（加盟店）とが一致するか否かを判定し、一致すると判定した場合には、ポイント付与部５２０に対してポイントの付与を許可し、一致しないと判定した場合には、ポイント付与部５２０に対してポイントの付与を禁止する。
本例の回収判定部５１５は、回収されたクーポン９００に関する情報（以下、回収データ）を加盟店の端末４０Ｂから受信すると、この情報の送信元の識別情報（加盟店コード）と、受信した情報に含まれている加盟店コードとを比較して、一致している場合にのみ、ポイント付与を許可する。なお、回収データは、例えば、加盟店の端末４０Ｂに接続されたバーコードリーダ４２によって読み取られて、端末４０Ｂを経由して回収判定部５１５に転送される。
【００２５】
ポイント付与部５２０は、クーポン９００が回収された場合に、このクーポン９００について、スポンサー（第１の広告主）により設定された設定情報と、加盟店（第２の広告主）により設定された設定情報とに基づいて、このクーポン９００のユーザ（利用者）に付与するポイント（利用者ポイント）を算出し（以上、利用者ポイント決定手段の動作例）、回収判定部５１５からの許可を条件として、算出された利用者ポイントをこのユーザに付与する。
本例のポイント付与部５２０は、クーポン９００が正当な経路で回収された場合（すなわち、回収判定部５１５により許可された場合）に、このクーポン９００の回収データに含まれているスポンサーの利用者ポイントと加盟店の利用者ポイントとを合算し、この合算値を、ユーザのカードＩＤに対応付けて付与する。
【００２６】
また、ポイント付与部５２０は、クーポン９００が回収された場合に、このクーポン９００について、スポンサー（第１の広告主）により設定された設定情報に基づいて、このクーポン９００の回収者（加盟店）に付与するポイント（回収者ポイント）を算出し（以上、回収者ポイント決定手段の動作例）、回収判定部５１５からの許可を条件として、算出された回収者ポイントをこの回収者（加盟店）に付与する。
本例のポイント付与部５２０は、クーポン９００が正当な経路で回収された場合（すなわち、回収判定部５１５により許可された場合）に、このクーポン９００の回収データに含まれているスポンサーの回収者を、回収データの送信元の識別情報（加盟店コード）に対応付けて付与する。
【００２７】
広告提供装置１０において、クーポン抽出部６００は、ユーザの操作に応じて、時間帯及びサービスカテゴリの条件が合致する広告情報を、クーポンＤＢ１１０から抽出し、抽出された広告情報をタッチパネル１００に表示させる。ここで、サービスカテゴリとは、ユーザが受けうるサービスの種類であり、例えば、「飲食」、「交通機関」、「宿泊」なであり、さらに「飲食」のサブカテゴリとして「食事」、「喫茶」及び「飲酒」などが設定されてもよい。
続いて、クーポン抽出部６００は、タッチパネル１００に表示した広告情報の中から、いずれかの広告情報が選択されると、選択された広告情報に対応するクーポンデータをタッチパネル１００に表示し、いずれかのクーポンデータが選択されると、選択されたクーポンデータをクーポン発行部６０５に出力する。
【００２８】
クーポン発行部６０５は、クーポン抽出部６００から入力されたクーポンデータに基づいて、クーポン用紙にクーポンデータを印刷し、クーポンデータが印刷されたクーポン９００をクーポン排出口から排出させる。本例のクーポン発行部６０５は、クーポン抽出部６００から入力されたクーポンデータに、ユーザのＩＣカードから読み取られたカードＩＤを統合し、統合されたクーポンデータから、広告画像のデータ（スポンサーの広告表示と加盟店の広告表示のデータ）と、バーコード９０６（図５で後述）のデータとを生成し、生成された広告画像のデータ及びバーコード９０６のデータをクーポン用紙に印刷する。
また、クーポン発行部６０５は、クーポンデータの印刷が完了すると、このクーポンデータの印刷回数を広告回数管理部５１０に通知する。
【００２９】
クーポンＤＢ１１０には、加盟店の広告情報が時間帯及びサービスカテゴリに関連付けて格納されており、さらに、管理サーバ３０から受信したクーポンデータがいずれかの広告情報に関連付けて格納されている。
【００３０】
管理データベース３１０には、広告データベース、広告実績データベース及びポイントデータベースが含まれている。広告データベースには、図３（Ａ)に例示する第１広告データベース３１２と、図３（Ｂ)に例示する第２広告データベース３１４とが含まれている。
図３（Ａ）に例示するように、第１広告データベース３１２は、スポンサーにより登録された広告情報及び設定情報をスポンサーコード（スポンサーを識別する識別情報）と広告番号（広告を識別する識別情報）とに関連付けて格納する。より具体的には、第１広告データベース３１２は、広告内容（広告情報）、広告の上限回数、利用者ポイント、回収者ポイント、及び、加盟店業種情報を、スポンサーコード及び広告番号に関連付けて格納する。ここで、広告の上限回数、利用者ポイント、回収者ポイント、及び、加盟店業種情報は、第１の広告主による設定情報の具体例である。広告内容は、画像、動画像、音声又は文字などのデータからなり、広告コンテンツを表示又は印刷するためのデータである。上限回数は、クーポン９００上に印刷可能な上限回数を示し、スポンサーにより任意に設定される。利用者ポイントは、対応する広告内容が印刷されたクーポン９００をユーザ（利用者）が利用した場合に、各利用行為について、スポンサーがユーザに付与するポイント数であり、スポンサーにより任意に設定される。回収ポイントは、対応する広告内容が印刷されたクーポン９００を回収者（加盟店）が回収した場合に、各回収行為について、当該スポンサーが回収者に付与するポイント数であり、スポンサーにより任意に設定される。加盟店業種情報は、対応する広告内容を相乗りさせる業種（すなわち、第２の広告主（加盟店）の業種）を指定する情報であり、スポンサーにより任意に設定される。
【００３１】
図３（Ｂ）に例示するように、第２広告データベース３１４は、加盟店により登録された広告情報及び設定情報を加盟店コード（加盟店を識別する識別情報）とサービス番号（加盟店の広告を識別する識別情報）とに関連付けて格納する。より具体的には、第２広告データベース３１４は、サービスカテゴリ、サービス内容（広告情報）、サービス提供時間帯、特典内容、利用者ポイント、及び、相乗り広告情報を、加盟店コード及びサービス番号に関連付けて格納する。ここで、サービスカテゴリ、サービス提供時間帯、利用者ポイント、及び、相乗り広告情報は、第２の広告主による設定情報の具体例である。サービス内容は、画像、動画像、音声又は文字などのデータからなり、広告コンテンツを表示又は印刷するためのデータである。サービス提供時間帯は、対応するサービスが提供可能な時間帯を示し、加盟店により任意に設定される。特典内容は、サービスに対して加盟店が提供する特典の内容を示す情報であり、加盟店により任意に設定される。利用者ポイントは、対応するサービス内容が印刷されたクーポン９００をユーザ（利用者）が利用した場合に、各利用行為について、当該加盟店がユーザに付与するポイント数であり、加盟店により任意に設定される。相乗り広告情報は、対応するサービス内容を相乗りさせる業種（すなわち、第１の広告主（スポンサー）の業種）を指定する情報であり、加盟店により任意に設定される。本例の相乗り広告情報は、優先順位の情報を含み、相乗り広告として選択するスポンサーの広告の優先順位も示す。
【００３２】
図４は、広告提供装置１０により提供されるクーポン９００を例示する図である。
図４（Ａ）に例示するように、本例のクーポン９００の表面には、加盟店の特典内容９０２とサービス内容とサービス提供時間帯とが印刷されている。そして、その裏面には、図４（Ｂ）に例示するように、複数のスポンサー広告９０４（スポンサー広告９０４Ａ及びスポンサー広告９０４Ｂ）と、バーコード９０６と、このクーポンの利用によりユーザに付与される総ポイント数とが印刷されている。このように、１つのクーポン９００には、スポンサー（第１の広告主）の広告が複数印刷されることもある。
【００３３】
図５は、バーコード９０６（図４）にエンコードされる情報を例示する図である。
図５に例示するように、バーコード９０６には、サービス番号、利用者ＩＤ、及び、複数のインセンティブ情報が含まれている。ここで、利用者ＩＤは、ユーザ（利用者）を識別する識別情報であり、本例では、ユーザが所持するＩＣカードのカードＩＤである。また、インセンティブ情報は、このバーコード９０６が印刷されたクーポン９００を利用した場合に付与されるポイント数（利用者ポイント及び回収者ポイント）と、このポイントの付与元を示す情報（加盟店コード及びスポンサーコード）とを含む。本例では、利用者ＩＤが利用者ポイントの付与先を示す情報として用いられている。また、インセンティブ情報に含まれる加盟店コードと、このバーコード９０６を読み取って管理サーバ３０に送信する加盟店とが一致する場合にのみ、ポイントの付与が許可され、このときの加盟店コードが回収者ポイントの付与先を示す情報となる。
【００３４】
図６（Ａ）は、広告実績データベース３１６に格納される情報を例示し、図６（Ｂ）〜（Ｄ）は、ポイントデータベース３１８に格納される情報を例示する図である。
図６（Ａ）に例示するように、広告実績データベース３１６には、クーポンによる広告の提供回数と、このクーポンの回収枚数とが、広告番号又はサービス番号に関連付けて格納される。広告の提供回数は、広告回数管理部５１０がクーポン発行部６０５からの通知に基づいて更新する値である。回収枚数は、回収判定部５１５がポイント付与を許可する場合に更新する値である。このように、クーポンの発行枚数（広告の提供回数）と、クーポンの回収枚数とを管理することにより、広告効果の把握が可能になる。
【００３５】
また、図６（Ｂ）に例示するように、ポイントデータベース３１８は、各利用者のポイント残高を利用者ＩＤ（すなわちカードＩＤ）に関連付けて格納する。これにより、各利用者（ユーザ）のポイント数が管理される。
同様に、図６（Ｃ）に例示するように、ポイントデータベース３１８は、各加盟店のポイント残高と、各加盟店が付与したポイント数（発行ポイント）と、各加盟店が回収者としてスポンサーから獲得したポイント数（獲得ポイント）とを、加盟店コードに関連付けて格納する。加盟店のポイント残高は、自身が発行したポイント数と、スポンサーから獲得したポイント数とで相殺して算出される値である。
また、図６（Ｄ）に例示するように、ポイントデータベース３１８は、各スポンサーが付与したポイント数（発行ポイント）を、スポンサーコードに関連付けて格納する。
【００３６】
次に、広告提供システム１の動作を説明する。
図７は、クーポンデータ配信処理の動作（Ｓ１０）を説明するフローチャートである。
図７に示すように、ステップ１００（Ｓ１００）において、管理サーバ３０の設定情報受付部５００（図２）は、スポンサーの端末４０Ａ、又は、加盟店の端末４０Ｂを介して、設定情報の新規登録又は変更を随時受け付け、受け付けた設定情報を管理ＤＢ３１０の広告ＤＢに登録する。特に、スポンサーの端末４０Ａから受け付けた設定情報は、図３（Ａ）の第１広告データベース３１２に登録され、加盟店の端末４０Ｂから受け付けた設定情報は、図３（Ｂ）の第２広告データベース３１４に登録される。
【００３７】
ステップ１０５（Ｓ１０５）において、設定情報受付部５００は、各時間帯について設定されたタイムリミット（設定情報及び広告情報の登録を受け付けるタイムリミット）までは、設定情報の登録又は変更を受け付けるが、タイムリミットを過ぎると、この時間帯に関する設定情報の登録及び変更の受付を禁止する。各時間帯に関するタイムリミットは、例えば、それぞれの時間帯の直前に設定されている。
管理サーバ３０は、登録のタイムリミットが過ぎると、Ｓ１１０の処理に移行する。
【００３８】
ステップ１１０（Ｓ１１０）において、クーポン生成部５０５は、各時間帯に関する設定情報等のタイムリミットが到来すると、この時間帯をサービス提供時間帯とするサービスを第２広告データベース３１４から抽出する。
【００３９】
ステップ１１５（Ｓ１１５）において、クーポン生成部５０５は、抽出されたサービスそれぞれの相乗り広告情報（図３（Ｂ））及びサービスカテゴリと、第１広告データベース３１２に登録されている加盟店業種情報とに基づいて、抽出されたサービスそれぞれについて、相乗り広告が可能なスポンサーの広告を選択する。すなわち、クーポン生成部５０５は、サービスカテゴリと加盟店業種情報とが一致するスポンサーの広告情報の中から、相乗り広告の優先順位の高い広告番号の広告情報を既定数まで選択していく。
【００４０】
ステップ１２０（Ｓ１２０）において、クーポン生成部５０５は、抽出されたサービスのインセンティブ情報（利用者ポイント）を抽出し、このサービスと相乗り広告となるスポンサーの広告情報のインセンティブ情報（利用者ポイント及び回収者ポイント）を抽出する。
【００４１】
ステップ１２５（Ｓ１２５）において、クーポン生成部５０５は、抽出された各サービスのインセンティブ情報と、抽出された各スポンサー広告のインセンティブ情報とに基づいて、配信用のバーコードデータ（図５の情報から利用者ＩＤを除いたもの）を生成し、生成されたバーコードデータと、相乗りするサービス及びスポンサー広告の広告情報（サービス内容、サービス提供時間、特典内容、及び広告内容）とを用いて、配信用のクーポンデータを生成する。
【００４２】
ステップ１３０（Ｓ１３０）において、クーポン生成部５０５は、生成したクーポンデータの時間帯になるまで待機する。
管理サーバ３０は、生成したクーポンデータの時間帯になった時に、Ｓ１３５の処理に移行する。
【００４３】
ステップ１３５（Ｓ１３５）において、クーポン生成部５０５は、生成した配信用のクーポンデータを広告提供装置１０に配信する。
本例の管理サーバ３０は、上記の処理（Ｓ１０）を各時間帯について並行して実施し、各時間帯で提供される広告情報（クーポンを含む）を配信する。
【００４４】
図８は、クーポン発行処理（Ｓ２０）の動作を説明するフローチャートである。
図８に示すように、ステップ２００（Ｓ２００）において、広告提供装置１０は、時間帯の区切りまで、原則として同一のクーポンデータ群（複数のサービスに関するクーポンデータ）を利用しており、時間帯の区切りになると、Ｓ２０５の処理に移行する。
ステップ２０５（Ｓ２０５）において、広告提供装置１０は、クーポンＤＢ１１０に格納されているクーポンデータを、管理サーバ３０から配信された最新のクーポンデータに置き換える。
【００４５】
ステップ２１０（Ｓ２１０）において、広告提供装置１０は、ＩＣカードリーダ１０２にＩＣカードがかざされたことを検知すると、このＩＣカードのカードＩＤをＩＣカードリーダ１０２に読み取らせる。
広告提供装置１０は、ＩＣカードのカードＩＤが読み取られるまで待機し、カードＩＤが読み取られると、Ｓ２１５の処理に移行する。
【００４６】
ステップ２１５（Ｓ２１５）において、広告提供装置１０は、タッチパネル１００に、時間帯及びサービスカテゴリを表示して、ユーザの操作を促す。
広告提供装置１０のクーポン抽出部６００は、ユーザにより選択された時間帯及びサービスカテゴリに合致する広告情報（本例では、各サービスのサービス内容など）をタッチパネル１００に表示させる。
【００４７】
ステップ２２０（Ｓ２２０）において、クーポン抽出部６００は、ユーザによりいずれかのサービスについてクーポン９００を要求されると、ユーザにより選択されたクーポンのクーポンデータをクーポン発行部６０５に出力する。
クーポン発行部６０５は、クーポン抽出部６００により入力されたクーポンデータに、読み取られたカードＩＤを付加して、印刷用のクーポンデータを生成し、生成された印刷用のクーポンデータに基づいて、クーポン９００（図４）を印刷する。
【００４８】
ステップ２２５（Ｓ２２５）において、クーポン発行部６０５は、印刷したクーポンデータを広告回数管理部５１０に通知する。
広告回数管理部５１０は、クーポン発行部６０５からの通知に応じて、クーポンデータに含まれるスポンサー広告に関して、図６（Ａ）の広告実績データベース３１６の提供回数を１つカウントアップする。さらに、広告回数管理部５１０は、カウントアップされた提供回数と、スポンサー広告に設定された上限回数（図３（Ａ))とを比較して、このスポンサー広告を含むクーポンデータの印刷を許可するか否かを判断する。
管理サーバ３０は、カウントアップされた提供回数が上限回数に達している場合に、Ｓ２３０の処理に移行し、この提供回数が上限回数に達していない場合に、Ｓ２３５の処理に移行する。
【００４９】
ステップ２３０（Ｓ２３０）において、広告回数管理部５１０は、印刷を禁止するクーポンデータをクーポン生成部５０５に通知して、クーポンデータの更新を指示する。
クーポン生成部５０５は、広告回数管理部５１０からの指示に応じて、クーポンデータの更新を行う。これにより、クーポンＤＢ１１０に格納されているクーポンデータが更新される。
【００５０】
ステップ２３５（Ｓ２３５）において、広告提供装置１０は、時間帯が切り替わるまで、Ｓ２１０の処理に戻って、広告情報及びクーポンの提供を繰り返し、時間帯が切り替わると処理を終了する。
本例の広告提供装置１０は、上記の処理（Ｓ２０）を各時間帯について並行して実施し、それぞれの時間帯で広告情報及びクーポンをユーザに提供する。
【００５１】
図９は、ポイント付与処理の動作（Ｓ３０）を説明するフローチャートである。
図９に示すように、ステップ３００（Ｓ３００）において、管理サーバ３０の回収判定部５１５（図２）は、加盟店の端末４０Ｂから、回収データを受信する。回収データは、加盟店において、バーコードリーダ４２（図１）により、クーポン９００に印刷されたバーコード９０６を読み取って得られた情報であり、図５に例示する情報が含まれている。
【００５２】
ステップ３０５（Ｓ３０５）において、回収判定部５１５は、回収データの送信元の識別情報（回収データを送信した加盟店の識別情報）と、受信した回収データに含まれている加盟店コードとを比較して、クーポン９００を回収した加盟店が、このクーポン９００の第２の広告主であるか否かを判定し、回収者がこのクーポン９００の第２の広告主（加盟店）である場合に、ポイント付与部５２０に回収データを転送してポイント付与を許可し、回収者がこのクーポン９００の第２の広告主ではない場合に、ポイント付与部５２０に対してポイントの付与を禁止する。
管理サーバ３０は、ポイントの付与が許可された場合に、Ｓ３１０の処理に移行し、ポイントの付与が禁止された場合に、Ｓ３２５の処理に移行する。
【００５３】
ステップ３１０（Ｓ３１０）において、ポイント付与部５２０は、回収判定部５１５により入力された回収データに基づいて、ユーザ（利用者）に付与すべき利用者ポイント数と、回収者に付与すべき回収者ポイントとを決定する。具体的には、ポイント付与部５２０は、入力された回収データ（図５）の中から、複数の利用者ポイントを抽出し、抽出された利用者ポイントの合算値を、対応する利用者ＩＤ（カードＩＤ）の獲得ポイントとし、抽出された各利用者ポイントをそれぞれの加盟店コード又はスポンサーコードの発行ポイントとする。また、ポイント付与部５２０は、回収データ（図５）の中から、回収者ポイントを抽出し、抽出された回収者ポイントの合算値を、対応する加盟店コードの獲得ポイントとする。
【００５４】
ステップ３１５（Ｓ３１５）において、ポイント付与部５２０は、決定された利用者ポイント及び回収者ポイントに従って、管理ＤＢ３１０のポイントデータベースを更新する。具体的には、ポイント付与部５２０は、図６（Ｂ）のポイントデータベース３１８において、利用者ＩＤ（カードＩＤ）が対応するポイント残高に、この利用者ＩＤの獲得ポイントを加算し、図６（Ｃ）のポイントデータベース３１８において、加盟店コードが対応する獲得ポイント及びポイント残高に、それぞれ加盟店コードＩＤの獲得ポイント（新規分）を加算する。さらに、ポイント付与部５２０は、図６（Ｃ）のポイントデータベース３１８において、加盟店コードが対応する発行ポイントに、この加盟店コードの発行ポイント（新規分）を加算すると共に、ポイント残高から、発行ポイント（新規分）を差し引く。また、ポイント付与部５２０は、図６（Ｄ）のポイントデータベース３１８において、スポンサーコードが対応する発行ポイントに、このスポンサーコードの発行ポイント（新規分）を加算する。
【００５５】
ステップ３２０（Ｓ３２０）において、ポイント付与部５２０は、回収データに基づいて、管理ＤＢ３１０の広告実績ＤＢを更新する。具体的には、ポイント付与部５２０は、サービス番号をキーとして、広告ＤＢから、クーポン９００に印刷されていたスポンサー広告の広告番号を特定し、広告実績データベース３１６（図６（Ａ））において、特定された広告番号及びこのサービス番号に関連付けられた回収枚数を１つカウントアップする。
【００５６】
ステップ３２５（Ｓ３２５）において、回収判定部５１５は、加盟店の端末４０Ｂに対して、ポイント付与が不可能である旨を返信する。
本例の管理サーバ３０は、上記の処理（Ｓ３０）を回収データ受信毎に実施する。
【００５７】
このように、本実施形態における広告提供システム１では、クーポンの利用者だけでなく、クーポンの回収者にもインセンティブを付与することにより、クーポンの利用及び回収を促して、クーポンによる広告効果の把握を可能にする。また、本広告提供システム１によれば、スポンサーが販売者（加盟店）だけでなく、直接消費者（ユーザ）にインセンティブを付与することができる。また、本広告提供システム１によれば、時間帯やユーザの要求（サービスカテゴリ）に応じて、適切な広告情報（クーポンを含む）をユーザに提供することができる。また、本広告提供システム１によれば、スポンサー（メーカなど）と、加盟店（小売店など）との両方が、インセンティブプログラムの設計に関与できるため、商品そのものの訴求力や、サービスの顧客吸引力などを勘案した高度なインセンティブプログラムの構築が期待できる。
【００５８】
［変形例］
上記実施形態では、広告提供装置１０と管理サーバ３０とが別体となった形態を説明したが、これに限定されるものではなく、例えば、広告提供装置１０の内部に、管理サーバ３０の機能を設けて、これらの機能を一体的に実現してもよい。
また、スポンサー（第１の広告主）の広告を、著作権者の著作物（デザイン画や写真など）に置き換え、回収者ポイントを負の値に設定することにより、クーポンを利用した著作物の流通システムとすることができる。すなわち、著作物と加盟店の広告との相乗りが実現され、そのポイントシステムによって、著作権料の徴収が行われることになる。
【符号の説明】
【００５９】
１・・・広告提供システム
１０・・・広告提供装置
１１０・・・クーポンデータベース
３０・・・管理サーバ
３１０・・・管理データベース
４０・・・端末
９００・・・クーポン
【図１】
2011008364.tif 000003
【図２】
2011008364.tif 000004
【図３】
2011008364.tif 000005
【図４】
2011008364.tif 000006
【図５】
2011008364.tif 000007
【図６】
2011008364.tif 000008
【図７】
2011008364.tif 000009
【図８】
2011008364.tif 000010
【図９】
2011008364.tif 000011